(57)【要約】【課題】カラー原稿情報の送信がｓＹＣＣ色空間によって行われる場合、該カラー原稿情報をＬａｂ色空間上での符号化データとしてメモリに蓄積すると、送信時に色変換処理が必要となるため画質が劣化してしまう。【解決手段】送信側装置と受信側装置との間においてカラー画像情報を通信する際に、送信側装置において、メモリ送信用の色空間を登録し（Ｓ４）、読み取ったカラー原稿情報を該登録された色空間上の符号化データとしてメモリに格納し、該メモリに格納された符号化データを受信側装置へ送信する。このように送信対象データの色空間を適切に設定可能とすることによって、送信時の色変換による画質劣化を回避し、高画質なカラー原稿情報が送信可能となる。【選択図】  図２
2004222000.tif 000002
【特許請求の範囲】
【請求項１】
送信側装置と受信側装置との間においてカラー画像情報の通信を行う画像通信方法であって、前記送信側装置において、
メモリ送信用の色空間を登録する登録工程と、
読み取ったカラー原稿情報を該登録された色空間上の符号化データとしてメモリに格納する格納工程と、
該メモリに格納された符号化データを前記受信側装置へ送信する送信工程と、
を有することを特徴とする画像通信方法。
【請求項２】
接続された相手側装置に対してカラー画像情報を送信する画像通信装置であって、
メモリ送信用の色空間を登録する登録手段と、
読み取ったカラー原稿情報を該登録された色空間上の符号化データとしてメモリに格納する格納手段と、
該メモリに格納された符号化データを前記相手側装置へ送信する送信手段と、
を有することを特徴とする画像通信装置。
【発明の詳細な説明】
【０００１】
【発明の属する技術分野】
本発明は、カラー画像データを通信するための画像通信技術に関する。
【０００２】
【従来の技術】
従来のカラー情報を通信可能なファクシミリ装置においては、その規格がＩＴＵ−Ｔ勧告Ｔ．３０、Ｔ．４、Ｔ．８１、Ｔ．４２に基づいて決定されており、色空間Ｌａｂ上のカラー画像データを対象とした通信を行うものであった。
【０００３】
近年のデジタルカメラ等の普及により、デジタルカメラで撮影した画像情報をそのままファクシミリプロトコルを使用して送信したいというニーズが高まりつつある。ここで通常、デジタルカメラにおいて使用される色空間はＬａｂでなく、ｓＹＣＣである。したがって、ｓＹＣＣ色空間上におけるカラー画像データのＪＰＥＧ符号化情報をそのままの形態で送信可能とするプロトコルが検討されている。
【０００４】
ここで、ｓＹＣＣ色空間によるＪＰＥＧフルカラー送信を考えた場合、基本的に送信対象となるのはカラー原稿情報ではなく、デジタルカメラで撮影してコンパクトフラッシュカードに格納されているファイル情報であることが多い。従って当面は、カラー原稿情報についてはＬａｂ色空間で送信し、デジタルカメラ等で撮影してコンパクトフラッシュカードに格納されているファイル情報についてはｓＹＣＣ色空間で送信することが考えられる。
【０００５】
【発明が解決しようとする課題】
しかしながら、一般にカラー情報の符号化は、Ｌａｂ色空間よりもｓＹＣＣ色空間上で行う方が簡単であるため、将来的には、カラー原稿情報の送信もｓＹＣＣ色空間によって行われるであろうと予想される。
【０００６】
この場合、送信対象であるカラー原稿情報については、もちろん実際の送信時には色変換処理が少ない方が好ましいため、これをＬａｂ色空間上での符号化データとしてメモリに蓄積することは、将来性を考慮すれば必ずしも得策ではないと考えられる。
【０００７】
本発明は上述した課題を解決するためになされたものであり、送信対象データの色空間を適切に設定可能とすることによって、送信時の色変換による画質劣化を回避し、高画質なカラー原稿情報を送信可能とすることを目的とする。
【０００８】
【課題を解決するための手段】
上記目的を達成するために、本発明の画像通信方法は、送信側装置と受信側装置との間においてカラー画像情報を通信する際に、送信側装置において、メモリ送信用の色空間を登録し、読み取ったカラー原稿情報を該登録された色空間上の符号化データとしてメモリに格納し、該メモリに格納された符号化データを受信側装置へ送信することを特徴とする。
【０００９】
また本発明は、接続された相手側装置に対してカラー画像情報を送信する画像通信装置であって、メモリ送信用の色空間を登録する登録手段と、読み取ったカラー原稿情報を該登録された色空間上の符号化データとしてメモリに格納する格納手段と、該メモリに格納された符号化データを前記相手側装置へ送信する送信手段と、を有することを特徴とする。
【００１０】
【発明の実施の形態】
本発明は、送信側装置と受信側装置との間においてカラー画像情報の通信を行う際に、送信側装置において、メモリ送信用の色空間を登録し、読み取ったカラー原稿情報を該登録された色空間上の符号化データとしてメモリに格納し、該メモリに格納された符号化データを受信側装置へ送信するものであり、登録されたメモリ送信用の色空間は、実際に送信された色空間の履歴に基づいて更新される。さらに、受信側装置において受信可能な色空間情報が送信側装置に通知され、メモリに格納された符号化データを、色空間情報に応じた色空間によって送信するが、色空間情報が不定である場合、メモリに格納された符号化データをモノクロ画像情報として送信する。
【００１１】
このような本発明は例えば、Ｌａｂ色空間とｓＹＣＣ色空間のいずれかを登録可能とし、色空間情報は、Ｌａｂ色空間上のＪＰＥＧ符号化データの受信機能の有無を示す情報と、Ｌａｂ色空間上のフルカラー情報の受信機能の有無を示す情報と、ｓＹＣＣ色空間上でのＪＰＥＧ符号化データの受信機能の有無を示す情報と、を含み、これは前手順におけるＤＩＳ信号のＦＩＦによって通知される。
【００１２】
また送信側装置は、前手順におけるＤＣＳ信号のＦＩＦによって、Ｌａｂ色空間上のＪＰＥＧ符号化データを送信するか否かを示す情報と、Ｌａｂ色空間上のフルカラー情報を送信するか否かを示す情報と、ｓＹＣＣ色空間上のＪＰＥＧ符号化データを送信するか否かを示す情報と、を受信側装置へ通知する。
【００１３】
このような本発明は、具体的に願書に添付する図面に示す構成及び処理において、以下の実施形態と対応して実現できる。
【００１４】
以下、本発明に係る一実施形態について、図面を参照して詳細に説明する。
【００１５】
＜第１実施形態＞
●装置構成
図１は、本実施形態を適用するファクシミリ装置の構成を示すブロック図である。同図において、２はＮＣＵ（網制御装置）であり、電話網をデータ通信等に使用するためにその回線の端末に接続して、電話交換網の接続制御やデータ通信路への切り換え、ループの保持を行う。ＮＣＵ２はまた、バス２６からの制御により、電話回線２ａを電話機４側の回線２ｂに接続（ＣＭＬオフ）したり、ファクシミリ装置側の回線２ｃに接続（ＣＭＬオン）したりする。なお、電話回線２ａは通常状態では電話機４側に接続されている。
【００１６】
６はハイブリッド回路であり、送信系の信号と受信系の信号とを分離し、加算回路１２からの送信信号をＮＣＵ２経由で電話回線２ａに送出する。また、相手側からの信号をＮＣＵ２経由で受け取り、信号線６ａ経由で変復調器８に送る。
【００１７】
８は変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う。変復調器８には、バス２６の制御により各伝送モードが指定され、バス２６からの送信信号を入力して変調データを信号線８ａに出力したり、信号線６ａからの受信信号を入力して復調データをバス２６に出力したりする。
【００１８】
１０は発呼回路であり、バス２６からの信号により電話番号情報を入力し、信号線１０ａにＤＴＭＦの選択信号を出力する。１２は加算回路であり、信号線８ａからの情報と信号線１０ａからの情報を入力し、それらの加算結果を信号線１２ａに出力する。
【００１９】
１４はカラー画像を読み取り可能な読取回路であり、読み取ったカラー画像データをバス２６に出力する。１６はカラー画像を記録可能な記録回路であり、バス２６に出力されている情報を１ライン毎に順次記録する。
【００２０】
１８はワーク用のメモリ回路（ＲＡＭ）であり、読み取りデータの生情報または符号化した情報を格納したり、また、受信情報または復号化した情報をバス２６を介して格納する。またメモリ１８においては、カラー原稿情報の送信が選択されている場合に、格納する符号化データをｓＹＣＣ色空間のＪＰＥＧ符号化データとＬａｂ色空間のＪＰＥＧ符号化データのいずれとするかを登録することができる。以下、この登録情報を、格納色空間情報とする。
【００２１】
２０は操作部であり、ワンタッチダイヤル、短縮ダイヤル、テンキー、＊キー、＃キー、スタートキー、ストップキー、セットキー、ダイレクト送信選択キー、ファイル情報の送信選択キー、カラー情報送信選択キー、その他のファンクションキーを備えており、押下されたキー情報はバス２６に出力される。また、操作部２０は表示部を有し、バス２６に出力されている情報を入力して表示する。
【００２２】
２２はＣＰＵ（中央処理装置）であり、ファクシミリ装置全体の制御や、ファクシミリ伝送制御手順を実行するが、その制御プログラムはＲＯＭ２４に格納されている。２８はカードインターフェイスであり、カード３０（例えば、デジタルカメラで撮影した情報が記憶されているコンパクトフラッシュカード）がセットされる。
【００２３】
●通信制御信号
下表は、本実施形態においてＩＴＵ−Ｔ勧告Ｔ．３０の制御手順情報（ＤＩＳ／ＤＴＣ信号，ＤＣＳ信号）に追加する、カラー関連のビット情報（ＦＩＦのビット情報）を示す。
【００２４】
2004222000.tif 000003
この表によれば、ＤＩＳ／ＤＴＣ信号におけるＦＩＦの第６８ビットにより、Ｌａｂ色空間上のＪＰＥＧ符号化データの受信機能の有無を通知し、ＤＣＳ信号におけるＦＩＦの６８ビットにより、Ｌａｂ色空間上のＪＰＥＧ符号化データによる送信を指定をする。
【００２５】
また、ＤＩＳ／ＤＴＣ信号におけるＦＩＦの第６９ビットにより、Ｌａｂ色空間上のフルカラー受信機能の有無を通知し、ＤＣＳ信号におけるＦＩＦの第６９ビットにより、Ｌａｂ色空間上のフルカラー送信を指定をする。
【００２６】
また、ＤＩＳ／ＤＴＣ信号におけるＦＩＦの第Ｘビットにより、ｓＹＣＣ色空間上のＪＰＥＧ符号化データの受信機能の有無を通知し、ＤＣＳ信号におけるＦＩＦの第Ｘビットにより、ｓＹＣＣ色空間上のＪＰＥＧ符号化データによる送信を指定をする。
【００２７】
なお、図１に示すファクシミリ装置内のＲＯＭ２４には、本実施形態における特徴的な送受信処理を制御する制御プログラムが格納されている。以下、この制御プログラムによる送受信処理について、図２乃至図８のフローチャートを参照して、詳細に説明する。
【００２８】
●通信制御説明
まず、図２のステップＳ２においてバス２６を介してメモリ１８をイニシャライズした後、ステップＳ４において、メモリ１８にカラー原稿情報を送信する際の色空間を示す情報、すなわち格納色空間情報としてＬａｂ色空間を設定する。これは、現状ではＬａｂ色空間でのカラー原稿送信が行われることがほとんどであるためである。
【００２９】
次にステップＳ６において、カラー原稿情報のメモリ送信が同じ色空間（ｓＹＣＣ色空間あるいはＬａｂ色空間）で連続して実行された回数をカウントする送信カウンタのカウント値を０にイニシャライズする。そしてステップＳ８において、ステップＳ６でカウント中の通信が実行されている色空間（以下、カウント色空間）がｓＹＣＣあるいはＬａｂのいずれであるかを示すフラグを、Ｌａｂ色空間を示すようにイニシャライズする。
【００３０】
次にステップＳ１０において、バス２６を介して操作部２０における表示をクリアし、ステップＳ１２でバス２６を介してＮＣＵ２のＣＭＬをオフする、すなわち電話回線２ａを電話機４側に接続する。
【００３１】
そしてステップＳ１４においてファクシミリ送信が選択されたか否かを判断し、選択されていればステップＳ１８に進むが、選択されていなければステップＳ１６に進んでその他の処理を実行した後、ステップＳ１２に戻る。
【００３２】
ステップＳ１８では操作部２０による入力情報に基づいてファイル情報の送信が選択されたか否かが判断され、選択されていればステップＳ２０に進んでファイル送信を実行した後にステップＳ１２に戻るが、選択されていなければステップＳ２２に進む。ステップＳ２２では、操作部２０による入力情報に基づいてダイレクト送信が選択されたか否かを判断し、選択されていればステップＳ２４に進んでダイレクト送信を実行した後にステップＳ１２に戻るが、選択されていなければステップＳ２６に進む。
【００３３】
ステップＳ２６では、操作部２０による入力情報に基づいてカラー情報の送信が選択されたか否かを判断し、選択されていれば図３のステップＳ３０に進むが、選択されていなければステップＳ２８に進んでモノクロ情報のメモリ送信を実行した後にステップＳ１２に戻る。
【００３４】
図３のステップＳ３０においては、メモリ１８に登録されている格納色空間情報をチェックし、これがｓＹＣＣ色空間を示していればステップＳ３２に進み、Ｌａｂ色空間を示すのであれば図６のステップＳ８６に進む。
【００３５】
●ｓＹＣＣ色空間指定によるメモリ送信
以下、本実施形態におけるｓＹＣＣ色空間指定によるメモリ送信処理について説明する。
【００３６】
ステップＳ３２ではカラー原稿情報を読み取り、ｓＹＣＣ色空間上のＪＰＥＧ符号化データとして、メモリ１８に格納する。そしてステップＳ３４でバス２６を介してＮＣＵ２のＣＭＬをオンとする、すなわち電話回線２ａをファクシミリ装置側に接続する。
【００３７】
ステップＳ３６では、バス２６を介して、発呼回路１０を使用して指定された宛先へ発呼し、ステップＳ３８で通信の前手順を開始する。そして受信側装置からのＤＩＳ信号を受け取った時点でステップＳ４０において、ＤＩＳ信号におけるＦＩＦのＸビットが１であるか否かが判断され、１であればすなわち、受信側装置がメモリ１８に格納されたｓＹＣＣ色空間のＪＰＥＧ符号化データの受信機能を有していると判断し、ステップＳ４２に進む。
【００３８】
ステップＳ４２では残りの前手順（送信側装置によるＤＣＳ通知、ＴＣＦ発信、受信側装置によるＣＦＲ返答等）を実行するが、このとき、ＤＣＳ信号についてもＦＩＦのＸビットを１にセットすることによって、ｓＹＣＣ色空間のＪＰＥＧ符号化データの送信指定を行う。そしてステップＳ４４において、メモリ１８に格納したｓＹＣＣ色空間上のＪＰＥＧ符号化データを送信する。
【００３９】
そして、図４のステップＳ４６において後手順を行った後、ステップＳ４８において、メモリ１８に記憶されているカウント色空間がＬａｂ色空間であるか否かを判断し、Ｌａｂ色空間であればステップＳ５０に進み、Ｌａｂ色空間でない、すなわちｓＹＣＣ色空間であればステップＳ５４に進む。
【００４０】
ステップＳ５０では、同一色空間における連続メモリ送信回数を示す送信カウンタを０に初期化し、ステップＳ５２でカウント色空間としてｓＹＣＣ色空間をセットする。
【００４１】
ステップＳ５４では送信カウンタをインクリメントし、次いでステップＳ５６において送信カウンタの値が１０以上であるか否かが判断され、１０以上であればステップＳ５８に進み、実際にｓＹＣＣ色空間による送信回数が多いため、メモリ１８への格納色空間情報としてｓＹＣＣ色空間をセットした後、ステップＳ１２に戻る。一方、送信カウンタの値が１０未満であればステップＳ１２に戻る。
【００４２】
一方、ステップＳ４０でＤＩＳ信号におけるＦＩＦのＸビットが１でない場合は、ステップＳ６０でＤＩＳ信号におけるＦＩＦの６８，６９ビットが両方とも１であるか否かが判断され、両方とも１であればすなわち、受信側装置がメモリ１８に格納されたＬａｂ色空間のフルカラーデータまたはＪＰＥＧ符号化データの受信機能を有していると判断し、図５のステップＳ６２に進む。
【００４３】
図５のステップＳ６２では残りの前手順（送信側装置によるＤＣＳ通知、ＴＣＦ発信、受信側装置によるＣＦＲ返答等）を実行するが、このとき、ＤＣＳ信号についてもＦＩＦの６８，６９ビットを１にセットすることによって、Ｌａｂ色空間による送信指定を行う。そしてステップＳ６４において、メモリ１８に格納したｓＹＣＣ色空間上のＪＰＥＧ符号化データを、Ｌａｂ色空間上のデータに変換して送信する。
【００４４】
そしてステップＳ６６で後手順を行った後、ステップＳ６８においてバス２６を介して、カウント色空間がＬａｂ色空間であるか否かを判断し、Ｌａｂ色空間であればステップＳ７４へ、ｓＹＣＣ色空間であればステップＳ７０へ進む。
【００４５】
ステップＳ７０では、同一色空間における連続メモリ送信回数を示す送信カウンタを０に初期化し、ステップＳ７２でカウント色空間としてＬａｂ色空間をセットした後、ステップＳ１２に戻る。
【００４６】
ステップＳ７４では送信カウンタをインクリメントし、次いでステップＳ７６において送信カウンタの値が１０以上であるか否かが判断され、１０以上であればステップＳ７８に進み、実際にｓＹＣＣ色空間による送信回数が多いため、メモリ１８への格納色空間情報としてＬａｂ色空間をセットした後、ステップＳ１２に戻る。一方、送信カウンタの値が１０未満であればステップＳ１２に戻る。
【００４７】
一方、ステップＳ６０でＤＩＳ信号におけるＦＩＦの６８，６９ビットの少なくともいずれかが１でない場合は、図６のステップＳ８０で残りの前手順（送信側装置によるＤＣＳ通知、ＴＣＦ発信、受信側装置によるＣＦＲ返答等）を実行するが、このとき、ＤＣＳ信号について、ＦＩＦの６８，６９，Ｘビットを全て０にセットすることによって、Ｌａｂ色空間，ｓＹＣＣ色空間のいずれによる送信も行わない旨を指定する。そしてステップＳ８２において、メモリ１８に格納したｓＹＣＣ色空間上でＪＰＥＧ符号化されたフルカラー情報を、モノクロ２値情報に変換して送信する。そしてステップＳ８４で後手順を行うが、ここではモノクロ２値情報の通信を実行したため、送信カウンタ、カウント色空間、格納色空間情報については変更しない。
【００４８】
●Ｌａｂ色空間によるメモリ送信
以下、本実施形態におけるＬａｂ色空間指定によるメモリ送信処理について説明する。
【００４９】
図３のステップＳ３０において、メモリ１８に登録されている格納色空間情報がＬａｂ色空間を示していれば図６のステップＳ８６に進む。
【００５０】
ステップＳ８６ではカラー原稿情報を読み取り、Ｌａｂ色空間上のＪＰＥＧ符号化データとして、メモリ１８に格納する。そしてステップＳ８８でバス２６を介してＮＣＵ２のＣＭＬをオンとする、すなわち電話回線２ａをファクシミリ装置側に接続する。
【００５１】
ステップＳ９０では、バス２６を介して、発呼回路１０を使用して指定された宛先へ発呼し、ステップＳ９２で通信の前手順を開始する。そして受信側装置からのＤＩＳ信号を受け取った時点で図７のステップＳ９４において、ＤＩＳ信号におけるＦＩＦの６８，６９ビットが両方とも１であるか否かが判断され、両方とも１であればすなわち、受信側装置がメモリ１８に格納されたＬａｂ色空間のＪＰＥＧ符号化データの受信機能を有していると判断し、ステップＳ９６に進む。
【００５２】
ステップＳ９６では残りの前手順（送信側装置によるＤＣＳ通知、ＴＣＦ発信、受信側装置によるＣＦＲ返答等）を実行するが、このとき、ＤＣＳ信号についてもＦＩＦの６８，６９ビットを１にセットすることによって、Ｌａｂ色空間による送信指定を行う。そしてステップＳ９８において、メモリ１８に格納したＬａｂ色空間上のＪＰＥＧ符号化データを送信する。このとき、必要に応じてサイズ変換を実施する。そしてステップＳ１００で後手順を行った後、図５のステップＳ６８に戻る。
【００５３】
一方、ステップＳ９４でＤＩＳ信号におけるＦＩＦの６８，６９ビットの少なくともいずれかが１でない場合は、さらにステップＳ１０２でＤＩＳ信号におけるＦＩＦのＸビットが１であるか否かを判断し、これも１でなければすなわち、受信側装置がＬａｂ、ｓＹＣＣのいずれのＪＰＥＧ符号化データも受信不能であるため、ステップＳ１０４で残りの前手順（送信側装置によるＤＣＳ通知、ＴＣＦ発信、受信側装置によるＣＦＲ返答等）を実行する際に、ＤＣＳ信号についてＦＩＦの６８，６９，Ｘビットを全て０にセットすることによって、Ｌａｂ色空間，ｓＹＣＣ色空間のいずれによる送信も行わない旨を指定する。そしてステップＳ１０６において、メモリ１８に格納したＬａｂＣ色空間上のＪＰＥＧ符号化フルカラー情報を、モノクロ２値情報に変換して送信する。
【００５４】
一方、ステップＳ１０２でＤＩＳ信号におけるＦＩＦのＸビットが１あればすなわち、受信側装置がｓＹＣＣ色空間のＪＰＥＧ符号化データの受信機能を有していると判断されるため、図８のステップＳ１０８において残りの前手順（送信側装置によるＤＣＳ通知、ＴＣＦ発信、受信側装置によるＣＦＲ返答等）を実行する際に、ＤＣＳ信号についてもＦＩＦのＸビットを１にセットすることによって、ｓＹＣＣ色空間による送信指定を行う。そしてステップＳ１１０において、メモリ１８に格納したＬａｂ色空間上のＪＰＥＧ符号化データを、ｓＹＣＣ色空間上のデータに変換して送信する。その後、ステップＳ１１２で通信の後手順を行った後、図４のステップＳ４８に戻る。
【００５５】
以上説明したように本実施形態によれば、カラーファクシミリ装置においてメモリ通信を行う際の格納色空間情報を登録することによって、送信側装置にて読み取った原稿画像が、該格納色空間情報によって示される色空間上のＪＰＥＧデータとしてメモリに格納される。
【００５６】
この格納色空間情報は、過去の送信履歴に基づいて更新されるため、例えば将来、カラー画像通信を行う色空間としてｓＹＣＣ色空間が主流になった場合でも、該色空間での格納を行うことが可能となる。
【００５７】
したがって、送信時の色変換処理を抑制することができるため、画質劣化を回避し、高画質なカラー画像の送信が可能となる。
【００５８】
＜他の実施形態＞
なお、本発明は、例えばシステム、装置、方法、プログラムもしくは記憶媒体等としての実施態様をとることが可能であり、具体的には、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
【００５９】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【００６０】
この場合、記憶媒体から読み出されたプログラムコード自体が前述した実施形態の機能を実現することになり、そのプログラムコードを記憶した記憶媒体は本発明を構成することになる。
【００６１】
プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
【００６２】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【００６３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００６４】
【発明の効果】
以上説明したように本発明によれば、送信対象データの色空間を適切に設定可能とすることにより、送信時の色変換による画質劣化を回避し、高画質なカラー原稿情報を送信することが可能となる。
【図面の簡単な説明】
【図１】本発明に係る一実施形態が適用されるファクシミリ装置の構成を示すブロック図である。
【図２】本実施形態における送受信処理を示すフローチャートである。
【図３】本実施形態における送受信処理を示すフローチャートである。
【図４】本実施形態における送受信処理を示すフローチャートである。
【図５】本実施形態における送受信処理を示すフローチャートである。
【図６】本実施形態における送受信処理を示すフローチャートである。
【図７】本実施形態における送受信処理を示すフローチャートである。
【図８】本実施形態における送受信処理を示すフローチャートである。
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュカード
【図１】
2004222000.tif 000004
【図２】
2004222000.tif 000005
【図３】
2004222000.tif 000006
【図４】
2004222000.tif 000007
【図５】
2004222000.tif 000008
【図６】
2004222000.tif 000009
【図７】
2004222000.tif 000010
【図８】
2004222000.tif 000011